(57)【要約】【課題】カラオケシステムでの利用音楽及び映像の品質を格段に向上させつつ、経済効率も向上させることの可能な音楽及び映像の原盤を利用したカラオケシステムを提供すること。【解決手段】音楽及び映像の原盤による原曲データを利用したカラオケ原盤を作成する手段を提供し、クラウドコンピューティングを活用したカラオケ原盤データのカラオケボックス等利用者への配信を行うカラオケプラットホーム機能を提供する。【選択図】図４
2015143856.tif 000002
【特許請求の範囲】
【請求項１】
音源、映像、歌詞、照明、採点、環境状況の少なくともいずれかに関する情報を有するカラオケ歌唱のためのカラオケ原盤作成に関し、カラオケ原盤のもととなる著作権および／もしくは著作隣接権の使用に関する許諾を必要とするか否かを判断する手段と、
前記著作権および／もしくは著作隣接権を有する権利保有者から使用許諾を受けているかどうかを確認する確認手段と、
前記確認手段に関する結果からカラオケに関する情報の更新状況を管理する管理手段と、
前記管理手段に関する情報を格納する第１の記憶手段と
を備えたことを特徴とするカラオケシステム。
【請求項２】
前記カラオケ原盤の作成に当たり、
前記権利保有者から使用許諾に関する契約を締結する必要性を判断する手段と、
前記契約を締結する手段と、
前記契約の締結に伴う使用料を算出する手段と、
前記使用料に対応してカラオケ歌唱者に求める料金を算出する手段と、
前記料金を表示する手段と、
前記料金に関する情報を格納する第２の記憶手段と
をさらに備えたことを特徴とする請求項１記載のカラオケシステム。
【請求項３】
許諾された複数の前記カラオケ原盤からカラオケ歌唱の対象たるカラオケ原盤を選択する手段と、
前記選択されたカラオケ原盤に関する情報を格納する第３の記憶手段と
をさらに備えたことを特徴とする請求項１もしくは２記載のカラオケシステム。
【請求項４】
前記カラオケ歌唱を行うカラオケ歌唱者よりカラオケ原盤が存在しないカラオケ歌唱を求められたか否かを判断する手段と、
前記著作権および／もしくは著作隣接権を有する権利保有者にカラオケに関する情報の使用に関する許諾を求める手段と、
前記許諾を求められた使用についての使用許可または不許可に関する情報を格納する第４の記憶手段と
をさらに備えたことを特徴とする請求項１乃至３のいずれか１項に記載のカラオケシステム。
【請求項５】
前記著作権および／もしくは著作隣接権を有する権利保有者にカラオケに関する情報の使用に関する許諾を求める手段と、
前記許諾に関して許諾されなかったことに関する情報を前記権利保有者別に収集する手段と、
前記カラオケ歌唱を行うカラオケ歌唱者に関する情報と前記許諾されなかった情報とを前記権利保有者に送信する手段と、
前記カラオケ歌唱者に関する情報と前記許諾されなかった情報とを格納する第５の記憶手段と
をさらに備えたことを特徴とする請求項１乃至４のいずれか１項に記載のカラオケシステム。
【請求項６】
カラオケ歌唱に関し、音源、映像、歌詞、照明、採点、環境状況に関する情報のうち少なくとも１つを含む情報をカラオケボックスにおいて提供する情報提供手段と、
前記カラオケボックスにおける音声、映像、採点結果、環状状況のうち少なくとも１つを記録する情報記録手段と
をさらに備えたことを特徴とする請求項１乃至５のいずれか１項に記載のカラオケシステム。
【請求項７】
前記カラオケボックスにおける情報提供および／もしくは情報記録手段のうち少なくとも１つを代用もしくは併用する移動通信部
をさらに備えたことを特徴とする請求項６記載のカラオケシステム。
【請求項８】
音源、映像、歌詞、照明、採点、環境状況の少なくともいずれかに関する情報を有するカラオケ歌唱のためのカラオケ原盤作成に関し、カラオケ原盤のもととなる著作権および／もしくは著作隣接権の使用に関する許諾を必要とするか否かを判断する手段と、
前記著作権および／もしくは著作隣接権を有する権利保有者から使用許諾を受けているかどうかを確認する確認手段と、
前記確認手段に関する結果からカラオケに関する情報の更新状況を管理する管理手段と、
前記管理手段に関する情報を格納する第１の記憶手段と
して機能させることを特徴とするカラオケシステムのプログラム。
【請求項９】
前記カラオケ原盤の作成に当たり、
前記権利保有者から使用許諾に関する契約を締結する必要性を判断する手段と、
前記契約を締結する手段と、
前記契約の締結に伴う使用料を算出する手段と、
前記使用料に対応してカラオケ歌唱者に求める料金を算出する手段と、
前記料金を表示する手段と、
前記料金に関する情報を格納する第２の記憶手段と
してさらに機能させることを特徴とする請求項８記載のカラオケシステムのプログラム。
【請求項１０】
許諾された複数の前記カラオケ原盤からカラオケ歌唱の対象たるカラオケ原盤を選択する手段と、
前記選択されたカラオケ原盤に関する情報を格納する第３の記憶手段と
してさらに機能させることを特徴とする請求項８もしくは９記載のカラオケシステムのプログラム。
【請求項１１】
前記カラオケ歌唱を行うカラオケ歌唱者よりカラオケ原盤が存在しないカラオケ歌唱を求められたか否かを判断する手段と、
前記著作権および／もしくは著作隣接権を有する権利保有者にカラオケに関する情報の使用に関する許諾を求める手段と、
前記許諾を求められた使用についての使用許可または不許可に関する情報を格納する第４の記憶手段と
してさらに機能させることを特徴とする請求項８乃至１０のいずれか１項に記載のカラオケシステムのプログラム。
【請求項１２】
前記著作権および／もしくは著作隣接権を有する権利保有者にカラオケに関する情報の使用に関する許諾を求める手段と、
前記許諾に関して許諾されなかったことに関する情報を前記権利保有者別に収集する手段と、
前記カラオケ歌唱を行うカラオケ歌唱者に関する情報と前記許諾されなかった情報とを前記権利保有者に送信する手段と、
前記カラオケ歌唱者に関する情報と前記許諾されなかった情報とを格納する第５の記憶手段と
してさらに機能させることを特徴とする請求項８乃至１１のいずれか１項に記載のカラオケシステムのプログラム。
【請求項１３】
カラオケ歌唱に関し、音源、映像、歌詞、照明、採点、環境状況に関する情報のうち少なくとも１つを含む情報をカラオケボックスにおいて提供する情報提供手段と、
前記カラオケボックスにおける音声、映像、採点結果、環状状況のうち少なくとも１つを記録する情報記録手段と
してさらに機能させることを特徴とする請求項８乃至１２のいずれか１項に記載のカラオケシステムのプログラム。
【請求項１４】
前記カラオケボックスにおける情報提供および／もしくは情報記録手段のうち少なくとも１つを代用もしくは併用する移動通信部と
してさらに機能させることを特徴とする請求項１３記載のカラオケシステムのプログラム。
【請求項１５】
音源、映像、歌詞、照明、採点、環境状況の少なくともいずれかに関する情報を有するカラオケ歌唱のためのカラオケ原盤作成に関し、カラオケ原盤のもととなる著作権および／もしくは著作隣接権の使用に関する許諾を必要とするか否かを判断し、
前記著作権および／もしくは著作隣接権を有する権利保有者から使用許諾を受けているかどうかを確認する確認し、
前記確認手段に関する結果からカラオケに関する情報の更新状況を管理し、
前記管理手段に関する情報を第１の記憶として格納する
ことを特徴とするカラオケシステムの制御方法。
【請求項１６】
前記カラオケ原盤の作成に当たり、
前記権利保有者から使用許諾に関する契約を締結する必要性を判断し、
前記契約を締結し、
前記契約の締結に伴う使用料を算出し、
前記使用料に対応してカラオケ歌唱者に求める料金を算出し、
前記料金を表示し、
前記料金に関する情報を第２の記憶として格納する
ことをさらに備えたことを特徴とする請求項１５記載のカラオケシステムの制御方法。
【請求項１７】
許諾された複数の前記カラオケ原盤からカラオケ歌唱の対象たるカラオケ原盤を選択し、
前記選択されたカラオケ原盤に関する情報を第３の記憶として格納する
ことをさらに備えたことを特徴とする請求項１５もしくは１６記載のカラオケシステムの制御方法。
【請求項１８】
前記カラオケ歌唱を行うカラオケ歌唱者よりカラオケ原盤が存在しないカラオケ歌唱を求められたか否かを判断し、
前記著作権および／もしくは著作隣接権を有する権利保有者にカラオケに関する情報の使用に関する許諾を求め、
前記許諾を求められた使用についての使用許可または不許可に関する情報を第４の記憶として格納する
ことをさらに備えたことを特徴とする請求項１５乃至１７のいずれか１項に記載のカラオケシステムの制御方法。
【請求項１９】
前記著作権および／もしくは著作隣接権を有する権利保有者にカラオケに関する情報の使用に関する許諾を求め、
前記許諾に関して許諾されなかったことに関する情報を前記権利保有者別に収集し、
前記カラオケ歌唱を行うカラオケ歌唱者に関する情報と前記許諾されなかった情報とを前記権利保有者に送信し、
前記カラオケ歌唱者に関する情報と前記許諾されなかった情報とを第５の記憶として格納する
ことをさらに備えたことを特徴とする請求項１５乃至１８のいずれか１項に記載のカラオケシステムの制御方法。
【請求項２０】
カラオケ歌唱に関し、音源、映像、歌詞、照明、採点、環境状況に関する情報のうち少なくとも１つを含む情報をカラオケボックスにおいて提供する情報を提供し、
前記カラオケボックスにおける音声、映像、採点結果、環状状況のうち少なくとも１つを記録する
ことをさらに備えたことを特徴とする請求項１５乃至１９のいずれか１項に記載のカラオケシステムの制御方法。
【請求項２１】
前記カラオケボックスにおける情報提供および／もしくは情報記録手段のうち少なくとも１つを代用もしくは併用する移動通信部を
さらに備えたことを特徴とする請求項２０記載のカラオケシステムの制御方法。
【請求項２２】
請求項１５乃至２１のうちいずれか１項記載のプログラムを搭載した記録媒体。
【発明の詳細な説明】
【技術分野】
【０００１】
本発明は、本願は原盤を活用することに着眼し、特に利用者に原盤による音楽情報と、これに対応する画像情報を提供するカラオケプラットホームシステムにおける、カラオケシステム、カラオケシステムの制御方法、カラオケシステムのプログラム及び記録媒体に関する。
【背景技術】
【０００２】
音楽情報又は映像情報は、日本著作権協会（ＪＡＳＲＡＣ（登録商標））等の管理する著作権管理用サーバに登録され、利用について契約を交わした利用者のみに対して、著作権使用料等を徴収して提供されている。一般的に、音楽情報又は映像情報を入手する場合は、著作物使用許諾契約を交わし、著作権使用料等を支払う必要がある。これらの著作権使用料は、作曲家等著作権者に配分される。また、音楽及び映像等に関しては、著作権の他に著作隣接権があり、例えば音楽に関しては、ＣＤ等を作成できる段階まで音源を完成させたいわゆる原盤には原盤権があるが、一般的にこの原盤権はアーティスト又は所属事務所若しくはレコード会社等が保有し、音楽及び映像等の原盤を用いた自由な利用は制限されている。原盤を利用する場合は、原盤使用許諾契約及び原盤使用許諾料の支払いが必要になる。
【０００３】
よって、従来のカラオケシステムでは、おびただしい数のカラオケ用音楽及び映像を得るために原盤権を入手して利用することは費用的にも手続的にもむずかしく、カラオケシステム用としては、簡易に再編集された音楽又は映像が使用されている。
【０００４】
図１は、従来のカラオケが提供されるシステム及び相関図を表した図面である。同図に示す日本レコード協会、メジャーレコード会社等、原盤保有会社１１は、アーティストの音楽及び映像の原盤を保有する原盤権保有者のグループを示す。同図に示す１２は、カラオケ用の音楽及び映像を作成し、それらのデータをカラオケ装置に導入しカラオケ店舗に貸し出すカラオケ用音楽及び映像制作配信会社のグループを示す。カラオケ音楽及び映像制作配信会社１２は、それらのデータをカラオケ店舗等に配信提供する。
【０００５】
ユーザー１３は、カラオケ店舗でカラオケを楽しむ一般ユーザーを示す。日本著作権協会１４は、音楽及び映像を使用する著作権に基づく使用料を著作権者に代わって徴収し著作権者に分配するための機関である。１６は、カラオケ音楽及び映像制作配信会社１２における現状とそのデメリットを示している。
【０００６】
例えば図１に示すように、一般的に音楽及び映像の原盤は日本レコード協会や原盤保有会社からカラオケ配信会社に高価な金額（原盤使用許諾料）で貸し出される。カラオケ配信会社は、貸し出された原盤を活用して安価なカラオケ用の音楽及び映像を再制作する。再製作されたカラオケ用音楽及び映像のデータ量は、一般的に原盤とは程遠い希薄なデータ量であるため、カラオケ用音楽及び映像は、著作者が作成した原盤と比較して見劣りするものとなる。また同時にテロップなどの映像への挿入も行なわれる。
【０００７】
これらのカラオケ用音楽及び映像は、一般的にサーバで管理される。そしてカラオケ用音楽及び映像は、カラオケ店舗に配信される。またはカラオケ装置と共に供給される場合もある。カラオケ配信会社は、カラオケ店舗よりカラオケ装置の提供リース料やカラオケ音楽及び映像の配信料を得る仕組みになっている。またカラオケ配信会社は、カラオケ音楽及び映像の使用回数に応じて著作権使用料（簡易金額）を日本著作権協会に支払う。
【０００８】
このようなカラオケシステムにおいては、音楽情報又は映像情報がレコード会社、アーティスト、原盤保有管理会社等によって管理されているため、原盤を使用して最も著作物原作品に近い高品質な音楽情報及び映像情報を利用の都度逐次入手することはむずかしく、簡易カラオケ用の音楽及び映像を利用することによって、原盤使用許諾料の使用に関する支払い等の煩雑で費用のかかる手続きを回避している。
【０００９】
一方、現状のカラオケシステムの内容についてであるが、従来のカラオケシステムは、楽器演奏のみの無声音楽を録音したオーディオテープを再生して、歌詞本を見ながら歌うというものであった。現在、広く利用されているカラオケシステムは、音楽データと歌詞を含めた映像データとからなる上記の再製作されたカラオケ音楽及び映像データをレーザーディスク（登録商標）やコンパクトディスクなどの高密度記憶媒体に記憶させておき、これをディスクプレーヤで再生することにより、音楽と歌詞を表示するものである。また昨今は、上記のように原盤から音楽のみを複製し、テロップ挿入等によって簡易作成された音楽及び映像データを、電話やインターネット回線でサーバを通して全国のカラオケ機器に配信する形態も広く普及している。この場合、一般的にハードディスクは機器内にある。
【００１０】
簡易用の音楽及び映像は、元々の曲やプロモーションビデオが原盤としてあるのに、カラオケ用にデータを再作成している。つまり、一般のカラオケシステムにおいては、上記のような煩雑で高価な原盤使用許諾料の支払い等の手続きを避けて、簡易的且つ安価な音楽情報又は映像情報を得て運用している。一般的に、例えば音楽著作物については原盤音楽情報とは程遠い簡易音楽を再作成して安価な著作権料で対応し、映像情報に関しては著作権に係る映像を使用せずに、別な簡易映像を再作成して使用する等によって対応している。
【００１１】
しかし、これらの簡易音楽又は再制作された映像では、カラオケシステムを利用する使用者からは、十分な満足感が得られず、本物のアーティストが演ずる音楽及び映像でカラオケシステムを楽しみたいという要望が強い。
【先行技術文献】
【特許文献】
【００１２】
【特許文献１】特開２００７−７９４１３号公報
【発明の概要】
【発明が解決しようとする課題】
【００１３】
従来技術は、特開２００７−７９４１３号公報で公開されているように、オリジナルの歌唱曲のオーディオデータに対して歌唱音をキャンセルする処理を行って上で再生可能であるため、ユーザーはオリジナルの歌唱曲の伴奏に合わせてカラオケを楽しむことができる。また従来技術は、一つの歌唱曲付きのオーディオデータを、そのまま再生して音楽鑑賞に用いることも歌唱曲音をキャンセルしてカラオケに用いることもできる。さらにまた、オーディオデータからの歌唱音をキャンセルする期間を指定することで、歌唱音をキャンセル処理による伴奏部分の音質の劣化を防止することができる。しかし上記は原盤会社からオリジナル原盤とオリジナルカラオケ原盤を許諾使用する必要がある。
【００１４】
音楽を一般的に楽しむユーザーやカラオケ利用者は、上記のような技術利用が可能であるにもかかわらず、著作権料が付加されたＣＤ等により頒布されるオリジナル曲をそのまま利用している。カラオケにおいても一般ユーザーは、容易に原盤からのカラオケ原盤作成はできないため、カラオケ用に製作された簡易音楽及び映像データを利用している。
【００１５】
一方、レコード会社、アーティスト、原盤保有管理会社等は、著作権に係る音楽情報及び映像情報を原盤から作成されたＣＤ、ＤＶＤ等の媒体を通して市場流通を図り、販売価格のなかに著作権使用料を付加して利益を得るという形態である。
【００１６】
しかし、近年はＣＤ、ＤＶＤの売上が急減していることもあり、原盤に近い良質な音楽及び映像をＣＤやＤＶＤの販売以外の方法で、たくさんの人々に提供し十分に楽しむことのできるシステムが望まれている。
【００１７】
このように、音楽情報及び映像情報を原盤に近い良質な状態で、安価、簡易で、たくさんの人々に提供し、著作者の権利及びレコード会社の原盤権収益をも守り、著作権使用料の徴収も厳格にでき、特にカラオケシステムにおいては、たくさんの利用者が、本当のアーティストの演奏に近い高品質な音楽及び映像を安価に利用して楽しむことが望まれていた。
【００１８】
本願はこうした問題点を解決することを企図したものであり、カラオケシステムでの利用音楽及び映像の品質を格段に向上させつつ、カラオケに関する使用許諾等の煩雑な手続き処理を自動化することにより、経済効率が向上することを可能とするカラオケシステムを提供することをその課題とする。
【課題を解決するための手段】
【００１９】
上記課題を解決するために、本願は原盤を活用することに着眼する。即ち、本発明に係るカラオケシステムは、
音源、映像、歌詞、照明、採点、環境状況の少なくともいずれかに関する情報を有するカラオケ歌唱のためのカラオケ原盤作成に関し、カラオケ原盤のもととなる著作権および／もしくは著作隣接権の使用に関する許諾を必要とするか否かを判断する手段と、
前記著作権および／もしくは著作隣接権を有する権利保有者から使用許諾を受けているかどうかを確認する確認手段と、
前記確認手段に関する結果からカラオケに関する情報の更新状況を管理する管理手段と、
前記管理手段に関する情報を格納する第１の記憶手段と
を備える。
【００２０】
前記カラオケ原盤の作成に当たり、
前記権利保有者から使用許諾に関する契約を締結する必要性を判断する手段と、
前記契約を締結する手段と、
前記契約の締結に伴う使用料を算出する手段と、
前記使用料に対応してカラオケ歌唱者に求める料金を算出する手段と、
前記料金を表示する手段と、
前記料金に関する情報を格納する第２の記憶手段と
をさらに備える。
【００２１】
許諾された複数の前記カラオケ原盤からカラオケ歌唱の対象たるカラオケ原盤を選択する手段と、
前記選択されたカラオケ原盤に関する情報を格納する第３の記憶手段と
をさらに備える。
【００２２】
前記カラオケ歌唱を行うカラオケ歌唱者よりカラオケ原盤が存在しないカラオケ歌唱を求められたか否かを判断する手段と、
前記著作権および／もしくは著作隣接権を有する権利保有者にカラオケに関する情報の使用に関する許諾を求める手段と、
前記許諾を求められた使用についての使用許可または不許可に関する情報を格納する第４の記憶手段と
をさらに備える。
【００２３】
前記著作権および／もしくは著作隣接権を有する権利保有者にカラオケに関する情報の使用に関する許諾を求める手段と、
前記許諾に関して許諾されなかったことに関する情報を前記権利保有者別に収集する手段と、
前記カラオケ歌唱を行うカラオケ歌唱者に関する情報と前記許諾されなかった情報とを前記権利保有者に送信する手段と、
前記カラオケ歌唱者に関する情報と前記許諾されなかった情報とを格納する第５の記憶手段と
をさらに備える。
【００２４】
カラオケ歌唱に関し、音源、映像、歌詞、照明、採点、環境状況に関する情報のうち少なくとも１つを含む情報をカラオケボックスにおいて提供する情報提供手段と、
前記カラオケボックスにおける音声、映像、採点結果、環状状況のうち少なくとも１つを記録する情報記録手段と
をさらに備える。
【００２５】
前記カラオケボックスにおける情報提供および／もしくは情報記録手段のうち少なくとも１つを代用もしくは併用する移動通信部
をさらに備える。
【００２６】
また、本発明はカラオケシステムのプログラムとしても実現することもできる。即ち、本発明に係るカラオケシステムのプログラムは、
音源、映像、歌詞、照明、採点、環境状況の少なくともいずれかに関する情報を有するカラオケ歌唱のためのカラオケ原盤作成に関し、カラオケ原盤のもととなる著作権および／もしくは著作隣接権の使用に関する許諾を必要とするか否かを判断する手段と、
前記著作権および／もしくは著作隣接権を有する権利保有者から使用許諾を受けているかどうかを確認する確認手段と、
前記確認手段に関する結果からカラオケに関する情報の更新状況を管理する管理手段と、
前記管理手段に関する情報を格納する第１の記憶手段と
して機能する。
【００２７】
前記カラオケ原盤の作成に当たり、
前記権利保有者から使用許諾に関する契約を締結する必要性を判断する手段と、
前記契約を締結する手段と、
前記契約の締結に伴う使用料を算出する手段と、
前記使用料に対応してカラオケ歌唱者に求める料金を算出する手段と、
前記料金を表示する手段と、
前記料金に関する情報を格納する第２の記憶手段と
してさらに機能する。
【００２８】
許諾された複数の前記カラオケ原盤からカラオケ歌唱の対象たるカラオケ原盤を選択する手段と、
前記選択されたカラオケ原盤に関する情報を格納する第３の記憶手段と
してさらに機能する。
【００２９】
前記カラオケ歌唱を行うカラオケ歌唱者よりカラオケ原盤が存在しないカラオケ歌唱を求められたか否かを判断する手段と、
前記著作権および／もしくは著作隣接権を有する権利保有者にカラオケに関する情報の使用に関する許諾を求める手段と、
前記許諾を求められた使用についての使用許可または不許可に関する情報を格納する第４の記憶手段と
してさらに機能する。
【００３０】
前記著作権および／もしくは著作隣接権を有する権利保有者にカラオケに関する情報の使用に関する許諾を求める手段と、
前記許諾に関して許諾されなかったことに関する情報を前記権利保有者別に収集する手段と、
前記カラオケ歌唱を行うカラオケ歌唱者に関する情報と前記許諾されなかった情報とを前記権利保有者に送信する手段と、
前記カラオケ歌唱者に関する情報と前記許諾されなかった情報とを格納する第５の記憶手段と
してさらに機能する。
【００３１】
カラオケ歌唱に関し、音源、映像、歌詞、照明、採点、環境状況に関する情報のうち少なくとも１つを含む情報をカラオケボックスにおいて提供する情報提供手段と、
前記カラオケボックスにおける音声、映像、採点結果、環状状況のうち少なくとも１つを記録する情報記録手段と
してさらに機能する。
【００３２】
前記カラオケボックスにおける情報提供および／もしくは情報記録手段のうち少なくとも１つを代用もしくは併用する移動通信部と
してさらに機能する。
【００３３】
さらに本発明はカラオケシステムの制御方法としても実現することもできる。即ち、本発明に係るカラオケシステムの制御方法は、
音源、映像、歌詞、照明、採点、環境状況の少なくともいずれかに関する情報を有するカラオケ歌唱のためのカラオケ原盤作成に関し、カラオケ原盤のもととなる著作権および／もしくは著作隣接権の使用に関する許諾を必要とするか否かを判断し、
前記著作権および／もしくは著作隣接権を有する権利保有者から使用許諾を受けているかどうかを確認する確認し、
前記確認手段に関する結果からカラオケに関する情報の更新状況を管理し、
前記管理手段に関する情報を第１の記憶として格納する
ことを特徴とする。
【００３４】
前記カラオケ原盤の作成に当たり、
前記権利保有者から使用許諾に関する契約を締結する必要性を判断し、
前記契約を締結し、
前記契約の締結に伴う使用料を算出し、
前記使用料に対応してカラオケ歌唱者に求める料金を算出し、
前記料金を表示し、
前記料金に関する情報を第２の記憶として格納する
ことをさらに備えたことを特徴とする。
【００３５】
許諾された複数の前記カラオケ原盤からカラオケ歌唱の対象たるカラオケ原盤を選択し、
前記選択されたカラオケ原盤に関する情報を第３の記憶として格納する
ことをさらに備えたことを特徴とする。
【００３６】
前記カラオケ歌唱を行うカラオケ歌唱者よりカラオケ原盤が存在しないカラオケ歌唱を求められたか否かを判断し、
前記著作権および／もしくは著作隣接権を有する権利保有者にカラオケに関する情報の使用に関する許諾を求め、
前記許諾を求められた使用についての使用許可または不許可に関する情報を第４の記憶として格納する
ことをさらに備えたことを特徴とする。
【００３７】
前記著作権および／もしくは著作隣接権を有する権利保有者にカラオケに関する情報の使用に関する許諾を求め、
前記許諾に関して許諾されなかったことに関する情報を前記権利保有者別に収集し、
前記カラオケ歌唱を行うカラオケ歌唱者に関する情報と前記許諾されなかった情報とを前記権利保有者に送信し、
前記カラオケ歌唱者に関する情報と前記許諾されなかった情報とを第５の記憶として格納する
ことをさらに備えたことを特徴とする。
【００３８】
カラオケ歌唱に関し、音源、映像、歌詞、照明、採点、環境状況に関する情報のうち少なくとも１つを含む情報をカラオケボックスにおいて提供する情報を提供し、
前記カラオケボックスにおける音声、映像、採点結果、環状状況のうち少なくとも１つを記録する
ことをさらに備えたことを特徴とする。
【００３９】
前記カラオケボックスにおける情報提供および／もしくは情報記録手段のうち少なくとも１つを代用もしくは併用する移動通信部を
さらに備えたことを特徴とする。
【発明の効果】
【００４０】
本発明の一実施態様においては、原盤所有者又は原盤権者から、オリジナルの音源、オリジナルのカラオケ音源、プロモーションビデオ映像等の貸与を受けるに伴う原盤の更新状況を管理するとともに、オリジナルに近いカラオケを楽しむことに伴う使用料の算出を容易に行うことが可能となる。同様に質の高いエンターテイメントを提供できる。
【００４１】
カラオケシステム提供側に、高品質という新しい付加価値をもったカラオケシステムの提供を可能とする。
【図面の簡単な説明】
【００４２】
【図１】従来のカラオケで提供されるシステム及び相関図を示した図面である。
【図２】本発明に係るカラオケ原盤提供システム及び相関図を示した図面である。
【図３】本発明に係るカラオケ原盤提供システム及び相関図を示した図面である。
【図４】本発明の一実施形態に係るシステム全体の機能ブロック図である。
【図５】本発明の一実施形態に係る原曲管理システムの機能ブロック図である。
【図６】本発明の一実施形態に係るカラオケ原盤作成システムの機能ブロック図である。
【図７】本発明の一実施形態に係るカラオケボックスシステムの機能ブロック図である。
【図８】本発明の一実施形態に係るカラオケ要素データテーブルである。
【図９】本発明の一実施形態に係る主要コード一覧である。
【図１０】本発明の一実施形態に係るカラオケ要素データテーブルである。
【図１１】本発明の一実施形態に係るカラオケ履歴データテーブルである。
【図１２】本発明の一実施形態に係る新規カラオケ要素データテーブルである。
【図１３】本発明の一実施形態に係る許諾不可データテーブル一覧である。
【図１４】本発明の一実施形態に係るカラオケ原盤作成システムの機能概要である。
【図１５】本発明の一実施形態に係るカラオケボックス図である。
【図１６】本発明の一実施形態に係る原盤コード管理データテーブルである。
【発明を実施するための形態】
【００４３】
以下、図面を参照して本発明を実施するための形態について説明する。なお、以下では本発明の目的を達成するための説明に必要な範囲を模式的に示し、本発明の該当部分の説明に必要な範囲を主に説明することとし、説明を省略する箇所については公知技術によるものとする。
【００４４】
まず本発明に係るカラオケ原盤活用システムの全体の運用形態について説明する。
【００４５】
図１は、従来のカラオケが提供されるシステム及び相関図を表した図面であるが、一方、図２は、本発明に係るカラオケ原盤提供システム及び相関図を表した図面である。カラオケプラットホーム１５は、本発明に係るカラオケ原盤提供システムの提供主体であり、カラオケ音楽及び映像制作配信会社１２に相当する。ユーザー提供１９１は、カラオケユーザーに提供できる新たなメリットの内容を示す。課金スキーム案１９２は、本発明に係るカラオケ原盤提供システムにおいてカラオケプラットホーム１５及びカラオケ店舗での収益面でのメリットを示す。
【００４６】
同図に示すように本発明に係るカラオケ原盤提供システムにおいては、カラオケプラットホーム１５が、日本レコード協会、原盤保有会社又１１はアーティストグループ等から原盤の音楽及び映像の貸し出しを受ける。カラオケプラットホーム１５は、本発明に係るカラオケ原盤提供システムの提供主体であり、本発明に係るカラオケ原盤提供システムの中心的役割を担うことからカラオケのプラットホームと称する。
【００４７】
カラオケプラットホーム１５は、カラオケ装置に、例えば原盤による音楽及び映像をそのままデータ挿入して、カラオケ原盤を作成し、カラオケ店舗に提供する。また同様にカラオケプラットホーム１５は、例えば原盤による音楽及び映像に近似したカラオケ原盤データをカラオケ店舗に配信する。
【００４８】
また図３は、本発明に係るカラオケ原盤提供システム及び相関図を示した図面である。同図に示す１７は、本発明に係るカラオケ原盤提供システムによってユーザーに提供できるメリットを示す。ハード内容１８は、本発明に係るカラオケ原盤提供システムにおいて用いるカラオケ装置の内容を示す。以上、従来のカラオケシステムと本願により提供可能となるカラオケシステムの概要を、模式的に示した。
【００４９】
本発明に係るカラオケシステムによるカラオケ原盤データは、例えばインターネットのクラウドで管理されてもよいが、同様な機能が達成できるなら、どのような構成をとってもかまわない。
【００５０】
次に、本発明に係るカラオケシステムの一実施形態に係るシステム全体の構成概要について説明する。
【００５１】
図４は、本発明の一実施形態に係るカラオケシステムの構成概要を示す機能ブロック図である。本発明の一実施形態に係るカラオケシステムは、ネットワーク１０を介して原曲（原盤による楽曲データで以降「原曲」と称する。）管理システム２０、カラオケ原盤作成システム３０、カラオケボックスシステム４０、原曲著作権管理システム２０１、原盤権管理システム２０２、オリジナルデータベース２０３、関連システム２０４、移動通信部２０９等とが結び付いて構成される。特に移動通信部２０９は、例えば、スマートフォンと呼称される携帯端末と同等な機能を有するものとする。さらに、原曲著作権管理システム２０１には著作権者２０１１、原盤権管理システム２０２にはレコード会社２０２１等、オリジナルデータベース２０３にはレコード会社２０３１、映画配給会社２０３２等が接続されている。その他、必要に応じて、関連システム２０４等とネットワーク１０を介して接続され、関連システム２０４には、金融関連機関、法律関連機関等、本願に係るすべての関連機関が含まれるものとする。なお、各システムともに、いわゆるクラウドコンピューティングにより構成してもかまわない。また、例えば、原曲管理システム２０からカラオケ原盤作成システム３０、カラオケボックスシステム４０に対し、必要とされるソフトウェア等をインストールしてもかまわない。
【００５２】
次に、図５に示す、原曲管理システム２０は、原曲管理システムデータベース（以下、「原曲管理システムＤＢ」という。）２１、原曲管理システムサーバ２２、原曲管理システム出力装部２３、原曲管理システム入力部２４、原曲管理システムインターフェース２６等を備えて構成されている。
【００５３】
原曲管理システムサーバ２２は、カラオケ関連の管理に関する情報の処理を行い、原曲管理システムＤＢ２１は、カラオケ関連の情報および、原曲管理システムサーバ２２で実行するプログラムを記憶する。原曲管理システム出力部２３は、ディスプレイ、プリンタ等を備えて構成され、必要に応じて各種情報を出力する。また、原曲管理システム入力部２４は、キーボード、バーコードリーダ、スキャナ等を備えて構成され、必要に応じて情報の入力を行うが、情報の入力を可能とするすべての装置を含むものとする。原曲管理システムインターフェース２６は、例えばネットワーク１０等との接続を制御する。なお、原曲管理システム２０は最終的にカラオケシステムとしての業務遂行が可能であれば、単独でも複数のシステムから構成されていてもかまわない。
【００５４】
次に、図６に示す、カラオケ原盤作成システム３０は、原盤の音楽及び映像から作成されたカラオケ原盤を作成するシステムで、カラオケ原盤作成システムメモリ３１、カラオケ原盤作成システムプロセッサ３２、カラオケ原盤作成システム出力部３３、カラオケ原盤作成システム入力部３４、カラオケ原盤作成システムインターフェース３６等を備えて構成されている。
【００５５】
カラオケ原盤作成システムプロセッサ３２は、カラオケ原盤作成の管理に関する情報の処理を行い、カラオケ原盤作成システムメモリ２１は、カラオケ原盤作成関連の情報および、原曲管理システムサーバ２２で実行するプログラムを記憶する。カラオケ原盤作成システム出力部３３は、ディスプレイ、プリンタ等を備えて構成され、必要に応じて各種情報を出力する。
【００５６】
また、カラオケ原盤作成システム入力部３４は、キーボード、バーコードリーダ、スキャナ等を備えて構成され、必要に応じて情報の入力を行うが、情報の入力を可能するすべての装置を含むものとする。カラオケ原盤作成システム入力部３４の、例えばキーボード等からの入力情報をカラオケ原盤作成システム出力部３３に表示し、必要に応じて、カラオケ原盤作成システム入力部３４から入力された情報等を、カラオケ原盤作成システムインターフェース３６を介して原曲管理システム２０に送信する。原曲管理システム２０では送信された情報に従って、原曲、歌詞、楽譜、プロモーションビデオ等の貸与処理等、必要とされる処理を行う。また、原曲管理システム２０からの情報に従って、カラオケ原盤作成システム３０では、貸与された原曲資料により、音楽、映像、テロップ、環境状況等に関するカラオケ用の原盤を作成する。
【００５７】
次に、図７に示す、カラオケボックスシステム４０は、カラオケボックスシステムメモリ４１、カラオケボックスシステムプロセッサ４２、カラオケボックスシステム出力部４３、カラオケボックスシステム入力部４４、カラオケボックスシステムインターフェース４６等を備えて構成されている。
【００５８】
カラオケボックスシステムプロセッサ４２は、カラオケボックス管理に関する情報の処理を行い、カラオケボックスシステムメモリ４１は、カラオケボックスシステム関連の情報および、カラオケボックスシステムプロセッサ４２で実行するプログラムを記憶する。カラオケボックスシステム出力部４３は、ディスプレイ、スピーカ、プリンタ、照明装置、模擬装置等を備えて構成され、必要に応じて各種情報を出力し、さらにカラオケ曲に応じた状況設定する。
【００５９】
また、カラオケボックスシステム入力部４４は、キーボード、バーコードリーダ、スキャナ、カメラ、マイク等を備えて構成され、必要に応じて情報の入力を行うが、情報の入力を可能するすべての装置を含むものとする。カラオケボックスシステム入力部４４の、例えばキーボード等からの入力情報をカラオケボックスシステム出力部４３に表示し、必要に応じて、カラオケボックスシステム入力部４４から入力された情報等をカラオケボックスシステムインターフェース４６を介して原曲管理システム２０に送信する。原曲管理システム２０では送信された情報に従って、カラオケボックスで必要とされる情報処理を行う。なお、移動通信部２０９は、例えば、スマートフォンと呼称される携帯端末と同等な機能を有し、本願では、特にカラオケボックスシステム４０と同等に機能する、または、一部機能を代行するよう指示があった場合には、指示に従って機能するものとする。さらに、移動通信部２０９等、プロセッサとプログラム等により制御されるシステムは、基本的に、カラオケ原盤作成システム３０、カラオケボックスシステム４０等と同等の構成を有するものとする。
【００６０】
以上、本発明の一実施形態の概要および構成を示した。次に、本発明の詳細および動作について説明する。
【００６１】
まず、カラオケボックス等で提供するカラオケサービス要素を格納するためのカラオケ要素データテーブル８０について、図８に従って説明する。カラオケ要素データテーブル８０は、カラオケの対象となる原曲コード等を格納する原曲コード欄８１、カラオケ要素内容を管理するカラオケ要素管理欄８２、カラオケ要素の各種情報に関し、曲名を示す曲名欄８３０１、アーティスト名を示すアーティスト欄８３０２、作詞者名を示す作詞者名欄８３０３、・・・等を備え、さらに、カラオケ要素管理欄８２は、項目欄８２１、内容欄８２２、許諾欄８２３等を備えている。なお、カラオケ要素データテーブル８０は、例えば原曲管理システム出力部２３のディスプレイに表示するカラオケ要素設定画面（図示せず）に従って、例えば原曲管理システム２０の原曲管理システム入力部２４のキーボードから操作者により修正を含む入力が行われ、原曲管理システムＤＢ２１に格納されたプログラムに従い、原曲管理システムサーバ２２により、原曲管理システムＤＢ２１上に格納するものとする。また、カラオケ要素設定画面（図示せず）は、カラオケ要素データテーブル８０と同一形式を有するものとする。なお、カラオケ要素データテーブル８０は、カラオケ原盤作成システム３０、カラオケボックスシステム４０側で入力、メモリ格納してもかまわない。また、原曲管理システム２０側で入力、格納した情報を、例えばネットワーク１０を介して、カラオケ原盤作成システム３０、カラオケボックスシステム４０側に送信してもかまわないし、カラオケ原盤作成システム３０、カラオケボックスシステム４０側で入力、格納した情報を、原曲管理システム２０側に送信してもかまわない。さらにまた、関連システム２０４においてカラオケ要素データテーブル８０を入力、格納し、原曲管理システム２０、カラオケ原盤作成システム３０、カラオケボックスシステム４０側に送信してもかまわない。
【００６２】
次に、図８に従って、カラオケ要素データテーブル８０の各欄に格納する、情報について説明する。まず、対象となるカラオケに関する情報が新規登録かどうか判断し、新規顧客登録の場合には、新規にカラオケ要素データテーブル８０を作成することとして、まず、原曲コード欄８１には、原曲コードとして、例えば「００３−１４０１２３４−００１」、カラオケ要素データテーブルの作成年月日として、例えば作成した日付が２０１４年１１月３０日であれば、例えば「２０１４．１１．３０」という情報を格納する。なお、原曲コード左側の「００３」は、例えばこの原曲がカラオケのオリジナルであるＣＤをそのまま利用した音源であることを示し、さらに、例えば「００１」は、カラオケ用に別途作成した音源、「００２」は、例えばオリジナルＣＤを加工して作成した音源等、音源の違いによって割り当てるものとする。また、続く「１４０１２３４」は、各音源における通し番号、右側の「００１」は、音源「１４０１２３４」において、音源以外の、歌詞、映像、テロップ種類（後述）等の各構成要素が異なる場合、それらに「００２」、「００３」、・・・等、順次割り当てるものとする。以下、項目欄８２１の内容に従って、曲名欄８３０１の内容欄８２２には、例えばカラオケの曲名である「春夏秋冬」、アーティスト欄８３０２には、「○×凸凹」、・・・等、順次カラオケを構成する内容に関する情報を格納する。最後に、許諾欄８２３には、各項目内容に関する許諾情報（詳細は後述）を格納する。なお、各情報格納処理は、例えば、原曲管理システム２０上に展開されたプログラムに従って、原曲管理システムサーバ２２等で処理するものとする。また、同様な処理を、カラオケ原盤作成システム３０、カラオケボックスシステム４０側で行っても、かまわない。さらに、その結果を、例えばネットワーク１０を介して、原曲管理システム２０へ送信してもかまわない。
【００６３】
以上、カラオケ要素データテーブル８０に格納する情報について、概要の説明を行ったが、以下に、本願を構成する上で、重要な項目内容と、それぞれの関連について説明する。まず、原盤コード欄８３０８の内容欄８２２に格納した、例えば「ＧＢＪＰ−ＡＡ０−０１−２３４５６」は、例えば原曲コード「００３−１４０１２３４−００１」が示すあるカラオケで使用されている音楽の原盤コードを示し、例えばカラオケの原盤がカラオケ専用に作成された原盤と、例えばＣＤをそのまま使用した原盤と、例えばＣＤによる原盤を編曲した原盤とでは、それぞれ異なったコードを付番する。このように、音楽の音源を識別管理するさまざまなコード体系がすでに知られているが、そのような既存のコードに準拠しても、あるいは、独自のコードのよっていてもかまわない。さらに、歌詞コード欄８３０９、映像コード欄８３１０、採点基準コード欄８３１１、著作権コード欄８３１２の各内容欄８２２には、例えば「ＫＫＪＰ−ＡＢ０−０１−０１２３４」、「ＫＥＪＰ−ＣＤ０−０２−０３４５６」、「ＳＫＪＰ−ＥＦ０−０３−０４５６７」、「ＣＣＪＰ−ＧＨ０−０４−０５６７８」という情報を格納するが、これら各コードも原盤コードに準じて、例えば歌詞コードでは、カラオケにおいてディスプレイ等に表示される漢字、ひらがな等の表記の違い、すでに歌い終えた歌詞を例えば色を変えて表示する、しないの違い、等々の歌詞表示内容を含むさまざまな違いに従って付番したコードを、映像コードでは、カラオケ歌唱するときに、画面等に表示される映像の違いに従って付番したコードを、採点基準コードでは、カラオケを歌ったときに、その上手下手を採点するための採点基準の違いに従って付番したコードを、それぞれ格納する。なお、原盤コードが、一般にそれぞれの著作権と密接に関連して付番されるコードであるのに対し、著作権コードは、原盤権を構成する、例えば歌手、作詞家、作曲家等、アーティスト欄８３０２、作詞者欄８３０３、作曲者欄８３０４に格納された各著作権保有者を総括的に管理する、例えば日本著作権協会で付番しているコードと同様な機能を有するコードを格納するものとする。
【００６４】
以上、カラオケ要素データテーブル８０について説明したが、カラオケ要素データテーブル８０のなかから、主要コードを一覧として格納する、主要コード一覧９０を図９に示す。なお、主要コード一覧９０は、例えば、原盤コード一覧９１、歌詞コード一覧９２、映像コード一覧９３、採点コード一覧９４、著作権コード一覧９５等から構成される。なお、主要コード一覧９０は、例えば原曲管理システム出力部２３のディスプレイに表示する主要コード一覧設定画面（図示せず）に従って、例えば原曲管理システム２０の原曲管理システム入力部２４のキーボードから操作者による、修正を含む入力に従うか、または、例えばカラオケ要素データテーブル８０に格納された情報に従って、例えば原曲管理システムＤＢ２１に格納されたプログラムに従い、原曲管理システムサーバ２２により、原曲管理システムＤＢ２１上に格納するものとする。また、主要コード一覧設定画面（図示せず）は、主要コード一覧９０と同一形式を有するものとする。なお、その他詳細は、カラオケ要素データテーブル８０に準ずるものとする。
【００６５】
次に、カラオケ歌唱する場合、カラオケの各要素を格納する、カラオケ要素データベース１００について、図１０に従って説明する。カラオケ要素格納データテーブル１００は、カラオケ歌唱することを希望する歌い手に対し、カラオケ要素の選択を促す注意書欄１００１、選択する詳細を示す、カラオケ選択詳細欄１０１、すでにカラオケとして用意されているカラオケを表示する、カラオケ１詳細欄１０２１、カラオケ２詳細欄１０２２、カラオケ３詳細欄１０２３、カラオケ４詳細欄１０２４、・・・、等を備え、さらに、カラオケ選択詳細欄１０１は、番号欄１０１１、アレンジ欄１０１２、歌詞欄１０１３、映像欄１０１４、採点欄１０１５等を備える。さらに、選択したカラオケの詳細を示す選択内容欄１０３、選択内容を決定する選択決定欄１０４、料金欄１０５、取り消し欄１０６、新要素欄１０７等を備えている。なお、カラオケ要素データベース１００は、例えばカラオケボックスシステム４０のカラオケボックスシステム出力部４３のディスプレイ（後述）に表示するカラオケ要素設定画面（図示せず）に従って、例えばカラオケボックスシステム４０のカラオケボックスシステム出力部４３のディスプレイ等に操作者が触れることにより入力され、カラオケボックスシステムメモリ４１に格納されたプログラムに従い、カラオケボックスシステムプロセッサ４２により、カラオケボックスシステムメモリ４１上に格納するものとする。あるいは、カラオケボックスシステム４０と同等な機能を有する移動通信部２０９において、カラオケボックスシステム４０と同様に処理するものとする。また、カラオケ要素設定画面（図示せず）は、カラオケ要素データベース１００と同一形式を有するものとし、例えばディスプレイ等に操作者が触れた情報は、別途、入力があったものとして処理する。
【００６６】
以上、カラオケ要素格納データベース１００に格納する情報について、その概要の説明を行ったが、以下に、カラオケ要素格納データベース１００の項目内容と、それぞれの関連について説明する。まず、例えば「これから  うたうぞう」さんが、アーティスト「○×凸凹」が歌う曲名「春夏秋冬」を、カラオケとして歌うとすると、カラオケ要素設定画面（図示せず）の注意書欄１００１に、例えば、
「これから  うたうぞう様
曲名  春夏秋冬    アーティスト  ○×凸凹
ご希望の番号を選択して下さい。
さらに詳しく選択する場合は、各項目を選択して下さい。」
という情報を表示するようカラオケ要素格納データベース１００に情報を格納し、例えば「これから  うたうぞう」さんに対し、操作に対する注意事項等の情報とする。さらに、注意書欄１００１の下部の、カラオケ選択詳細欄１０１の番号欄１０１１には、上部から下部へ順番に、例えば「１」、「２」、「３」、・・・、等の番号を格納する。次に、例えばカラオケ１詳細欄１０２１のアレンジ欄１０１２には、該当するカラオケのアレンジ内容情報を、以下同様に、カラオケの歌詞欄１０１３には、歌詞内容情報を、映像欄１０１４にはカラオケの映像内容情報を、採点欄１０１５にはカラオケの採点映像内容情報を、それぞれ格納する。以下、同様に、カラオケ２詳細欄１０２２、カラオケ３詳細欄１０２３、・・・、等にも、カラオケ１詳細欄１０２１と同様に、各情報を格納する。なお、例えばカラオケ１詳細欄１０２１の各欄に格納した情報は、原曲コード別にカラオケ要素データテーブル８０に格納したカラオケに関する各情報に従って、その内容を歌い手に理解できる情報として格納することとなる。そのため、例えば、同一曲名、同一アーティストによるカラオケが、アレンジ、歌詞、映像等の違いにより、例えば４曲分あったとすると、該当するカラオケ要素データテーブル８０は４件存在するので、これに従って、カラオケ１詳細欄１０２１からカラオケ４詳細欄１０２４までの各欄に情報を格納する。このように、カラオケ要素格納データベース１００に格納した情報は、例えばカラオケボックスシステム４０のカラオケボックスシステム出力部４３の、例えばディスプレイ、あるいは移動通信部２０９等にカラオケ要素設定画面（図示せず）として表示する。
【００６７】
以上、あるカラオケに関する情報が、例えばカラオケボックスシステム出力部４３のディスプレイに表示されると、「これから  うたうぞう」さんが、例えばディスプレイ上の番号欄１０１１の番号を押下して、特定のカラオケを選択したとすると、選択内容欄１０３の各欄に、選択された各情報を表示する。なお、選択されたカラオケに関する料金を別途知らせる必要のある場合には、該カラオケ要素データテーブル８０の料金欄８３１４に格納した情報を、料金欄１０５に、例えば「１００円／回」という情報を格納する。最終的に選択決定欄１０４が押下されると、該カラオケが選択されたこととなる。このように、あるカラオケが選択されると、カラオケボックスシステム４０は、該カラオケに関するカラオケ要素データテーブル８０を選択し、この情報に従って、該カラオケボックスシステム４０において、楽曲に関する原盤、歌詞、映像、映像等に付随する、照明、振動傾斜等の付加情報（詳細は後述）、採点等、カラオケに必要な情報を収集し、しかるべき順番となったとき、前記情報を、該カラオケボックスのシステム出力部４３のスピーカ、ディスプレイ等に送信するとともに、カラオケボックスシステム入力部４４のマイク、カメラ等から、「これから  うたうぞう」さんの、カラオケ歌唱に関する、映像、音声等の情報を収集する。
【００６８】
次に、前述カラオケを歌唱した履歴を格納する、カラオケ履歴データテーブル１１０について、図１１に従って説明する。カラオケ履歴データテーブル１１０は、カラオケ履歴対象者を管理する、履歴対象者欄１１１、カラオケ履歴の管理項目を格納する履歴管理欄１１２、カラオケ履歴の各種情報を示す、履歴１欄１１３０１、履歴２欄１１３０２、履歴３欄１１３０３、・・・、等を備え、さらに、履歴管理欄１１２は、番号欄１１２１、年月日時間欄１１２２、原曲コード欄１１２３、採点結果欄１１２４等を備えている。なお、カラオケ履歴データテーブル１１０は、例えばカラオケボックスシステム４０のカラオケボックスシステムメモリ４１に格納されたプログラムに従い、カラオケボックスシステムプロセッサ４２により、カラオケボックスシステムメモリ４１上に格納するものとする。なお、その他詳細は、カラオケ要素データテーブル８０等に準ずるものとする。
【００６９】
次に、カラオケ履歴データテーブル１１０に格納する情報について説明する。まず、対象となるカラオケの歌い手である、例えば「これから  うたうぞう」さんに関する情報が新規登録かどうか判断し、新規顧客登録の場合には、新規にカラオケ履歴データテーブル１１０を作成することとして、履歴対象者欄１１１には、カラオケ履歴管理番号として、例えば「１４０１０３００１」、対象者氏名として、例えば「これから  うたうぞう」、作成年月日として、例えば「２０１４．０１．０３」という情報を、格納する。以下、例えば履歴１欄１１３０１の年月日時間欄１１２２には、該カラオケボックスにおいて「これから  うたうぞう」さんが最初にカラオケを歌った年月日時間として、例えば「２０１４．０１０．０３，１８：３２」、原曲コード欄１１２３には、該カラオケの原曲コードを該カラオケ要素データテーブル８０の原曲コード欄８１に格納した原曲コードとして、例えば「１４０１０３００１」、採点結果欄１１２４には、該カラオケの採点結果を示す、例えば「９５点」という情報を、それぞれ格納する。以下、該カラオケボックスにおける、例えば「これから  うたうぞう」さんのカラオケ履歴に関する情報を、順番に格納するものとする。なお、各情報格納処理は、例えば、カラオケボックスシステム４０のカラオケボックスシステムメモリ４１上に展開されたプログラムに従って、カラオケボックスシステムプロセッサ４２等で処理するものとする。また、同様な処理を、例えば原曲管理システム２０側で行っても、かまわない。さらに、その結果を、例えばネットワーク１０を介して、カラオケボックスシステム４０へ送信してもかまわない。またさらに、例えば「これから  うたうぞう」さんの各カラオケボックス別の履歴を、例えば原曲管理システム２０でまとめて管理してもかまわない。
【００７０】
以上、カラオケ履歴データテーブル１１０について説明したが、カラオケ履歴データテーブル１１０の内容は、例えば「これから  うたうぞう」さんが該カラオケボックスを訪れてカラオケ歌唱する場合、例えばカラオケボックスシステの出力部４３のディスプレイ等に表示してもかまわない。
【００７１】
また、本願におけるカラオケボックスシステム４０の処理の他に、カラオケボックスシステムと同等な機能を有する、例えば移動通信部２０９により、カラオケボックスシステム４０と同様に機能するよう操作者から指示があった場合には、同様な処理を行うものとする。この場合、カラオケボックスシステム４０と同様に、各情報をカラオケ履歴データテーブル１１０と同等なデータテーブル（図示せず）に格納し、カラオケボックスシステム４０と同等な処理を行うものとする。なお、例えば移動通信部２０９において情報を格納した、カラオケ履歴データテーブル１１０と同等なデータテーブルの内容は、例えばネットワーク１０を介して、例えば関連するカラオケボックスシステム４０に送信し、該歌い手の履歴に追加してもかまわない。また、移動通信部２０９は、カラオケボックスシステム４０と異なる場所に存在しても、あるいはカラオケボックスシステム４０と同一の場所に存在してもかまわないし、さらに操作者の指示に従って、どちらに機能させるか選択しても、かまわない。
【００７２】
前記においては、カラオケ要素格納データテーブル１００の番号欄１０１１を押下してカラオケを選択した場合について説明したが、以下に、カラオケの各要素を個別に選択した場合の処理について説明する。カラオケ要素格納データテーブル１００の番号欄１０１１の押下に従って、例えばカラオケ１詳細欄１０２１の内容のままのカラオケを希望するのではなく、例えば「これから  うたうぞう」さんが、アレンジは「オリジナルＣＤ」による原曲、歌詞は「英語バージョン」によるもの、カラオケ歌唱時のディスプレイ等に表示する画面背景は「富士山」、カラオケ採点は歌詞の正確性も加味して採点する採点法による等、さまざまな原曲コードに含まれる要素を組み合わせたカラオケにより歌いたいと希望する場合には、カラオケ要素格納データテーブル１００の各カラオケ詳細に含まれる各要素を選択する。選択は、例えば、アレンジに関してはカラオケ２詳細欄１０２２の「オリジナルＣＤ」なら、画面の該アレンジ表示部分を押下し、歌詞に関してはカラオケ３詳細欄１０２３の「英語バージョン」なら、アレンジ選択と同様、該歌詞表示を押下し、以下同様に、各要素を押下することにより選択すると、内容が選択内容欄１０３の該当欄に表示する。選択が終了し決定する場合には、選択決定欄１０４を押下するが、このとき、選択があらかじめ表示したカラオケ内容と同じであれば、例えば該当するカラオケ詳細欄の色を変える等により、すでにその組合せは存在することを明示してもかまわない。もし、選択された組合せが、該カラオケボックスのカラオケ要素データテーブル８０のなかに存在しない場合でも、該カラオケボックス以外において作成したカラオケ要素データテーブル８０に同様な内容があった場合には、例えばネットワーク１０を介して、該カラオケボックス４０に該情報を送信しても、かまわない。前記検索処理を行っても該当するカラオケ要素データテーブル８０が、すべてのカラオケボックスに存在しない場合には、新規にカラオケ要素データテーブルを作成するが、この新規カラオケ要素データテーブル１２０を図１２に示す。また詳細は、カラオケ要素データテーブル８０と同様とする。なお、新規カラオケ要素データテーブル１２０の各要素は、例えば、カラオケ１詳細欄１０２１、カラオケ２詳細欄１０２２、カラオケ３詳細欄１０２３、カラオケ４詳細欄１０２４に含まれる情報に従って格納するため、すでにカラオケ要素データテーブル８０上において存在する。例えば新規カラオケ要素データテーブル１２０の原盤コード欄１２３０８の内容欄１２２２には、例えば該カラオケ要素データテーブル８０の原盤コード欄８３０８の内容欄８２２格納した該原盤コードをそのまま格納する。ただし、選択された新規カラオケの構成に関する、著作権等の許諾調査は完了していないため、該許諾欄１２２３は空欄となる。以降、原盤コード欄１２３０８と同様に、各項目欄１２３０１〜１２３１２について、各情報を該カラオケ要素データテーブル８０の該内容欄８２２から選択して、新規カラオケ要素データテーブル１２０の該内容欄１２２２に格納する。
【００７３】
このように新規カラオケ要素データテーブル１２０への必要情報の格納が完了すると、各要素の相互間の許諾関係を調査することとなる。例えば、該原盤コード欄１２３０８に格納した「ＧＢＪＰ−ＸＹ０−０１−００００１」に関し、例えばネットワーク１０を介して原盤権管理システム２０２に問い合わせことにより、例えば原曲に関する包括的な情報を収集し、例えば「これから  うたうぞう」さんの希望する各要素の組合せ、例えば歌詞コード１２３０９に格納した「ＫＫＥＧ−ＢＲ０−０１−０００１２」を使用する場合によっても、該原盤が使用許諾となるかどうかを、必要に応じて、例えば、ネットワーク１０を介して、法律関連機関である関連システム２０４に情報を送信し、さらに、契約等を必要とする場合には、契約内容に関する情報を送受信し、判定する。このような使用許諾に関する判断を、例えば、歌詞コード欄１２３０９以外の、映像コード欄１２３１０、採点基準コード欄１２３１１等、必要とするすべてのコードについて、行うものとする。なお、前記判断は、さまざまにシステムが関連し、短時間で使用許諾が許可されるかどうか難しいため、判断を行う以前に、該許諾欄１２２３に、例えば「許諾対応中」、あるいは、一定時間以上経過した場合には、「時間切れ」という情報を格納してもかまわない。その後、使用許諾となった場合、該許諾欄１２２３に「可」という情報を格納するものとする。以上、許諾を判定した結果、許諾を必要とする該許諾欄１２２３がすべて「可」という情報を格納が格納したことから、例えば「これから  うたうぞう」さんが希望するカラオケ使用に関し問題がないと判定されたこととなる。前記判定を受け、例えば実際に音楽のもととなる情報を、例えば原盤権管理システム２０２、オリジナルデータベース２０３、あるいは原曲管理システム２０の原曲管理システムＤＢ２１等から、例えばネットワーク１０を介して収集し、原盤等、カラオケ作成のもととなるデータを含むその他の情報を収集する。なお、原盤等の収集に関し、各著作権等保有側で、該原曲管理システム２０等に対する許諾状況を確認する手段を講じてもかまわない。あるいは該カラオケボックス４０のカラオケボックスシステムメモリ４１に既に格納した情報を、該カラオケボックス４０において、カラオケとして流し、「これから  うたうぞう」さんのカラオケ希望を実現する。
【００７４】
このように、カラオケの構成に必要とされるすべての要素に関し使用許諾とはならず、例えば歌詞が、選択された要素の組合せでは、使用が禁止されている場合には、歌詞コード欄１２３０９の許諾欄１２２３に、例えば「不可」という情報を格納し、さらに、カラオケ要素格納データテーブル１００の選択内容欄１０３に、例えば「許諾不可」という情報を格納し、その結果カラオケ要素設定画面（図示せず）の該選択内容欄にも許諾不可」という情報を表示し、カラオケの各要素を選択した操作者、例えば「これから  うたうぞう」さんに知らせる。あるいは、各システムからの許諾に関する回答に、時間がかかっている場合には、選択内容欄１０３に例えば「許諾回答待ち」という情報を表示してもかまわない。この「不可」の表示を受け、取り消し欄１０６が押下されると、カラオケ要素格納データテーブル１００の情報を消去する。さらに、例えば許諾が不可となった場合でも、例えば原曲管理システム２０において、不可となった要因をさらに調査して、状況に応じて、例えば、ネットワーク１０を介して、法律関連機関である関連システム２０４と再交渉し、例えば、非常に高額が料金を支払えばカラオケに使用することを認める場合には、例えば該料金欄１２３１４に、該システムから回答のあった料金を加味したカラオケ使用料金を格納する。また、例えば高額なカラオケ料金の設定に時間を要している間に、何らかの要因で、取り消し欄１０６が押下され、各要素の該構成によるカラオケが取り消された後でも、例えば「これから  うたうぞう」さんが、該カラオケボックスに存在しているときに、料金欄１０５に該料金を表示することが可能となったカラオケ要素格納データテーブル１００を、例えば、カラオケボックス４０のカラオケボックスシステム出力部４３の、例えばディスプレイ等に表示してもかまわない。
【００７５】
以上、本願を構成する各システム間を、例えば、ネットワーク１０を介して接続し、カラオケを構成する各要素の、さまざまな組合せにおける許諾を、自動的に取り付けることに関する技術について説明したが、以下に、許諾が受けられなかった場合の、新規カラオケ要素データテーブル１２０を活用する方法について説明する。まず、新規カラオケ要素データテーブル１２０として示したデータテーブルは、作成が完了すると、カラオケ要素データテーブル８０と同じ形式を有する、一連のデータテーブル群を構成することとなる。さらに、新規カラオケ要素データテーブル１２０の許諾欄８２３に、許諾を必要とする各欄に、「可」という情報を格納してあるものは、すでにカラオケとして供することができる状態にあり、その意味でも、既存のラオケ要素データテーブル８０と何ら変わりはない。ただし、前記許諾必要とする各欄に、１つでも「不可」という情報を格納したものは、そのままではカラオケとして供することができないため、既存のカラオケ要素データテーブル８０と異なるが、この「不可」という条件が取り除かれれば、カラオケとして供することが可能となる。そのためには、交渉によっても不可とする当事者に、再考を促す情報を知らせることが重要となる。そのために、許諾欄１２２３に「不可」条件を有する新規カラオケ要素データテーブル１２０の一覧を作成するが、この許諾不可データテーブル一覧１３０について、図１３に従って説明する。
【００７６】
許諾不可データテーブル一覧１３０は、許諾不可データテーブル一覧を管理する許諾不可管理欄１３１、許諾不可データテーブル一覧の管理項目を格納する許諾不可管理欄１３２、許諾不可の各種情報を示す、許諾不可１欄１３３０１、許諾不可２欄１３３０２、許諾不可３欄１３３０３、・・・、等を備え、さらに、許諾不可管理欄１３２は、番号欄１３２１、年月日時間欄１３２２、原曲コード欄１３２３、依頼者コード欄１３２４、不可内容欄１３２５等を備えている。なお、許諾不可データテーブル一覧１３０は、例えばカラオケボックスシステム４０のカラオケボックスシステムメモリ４１に格納されたプログラムに従い、カラオケボックスシステムプロセッサ４２により、カラオケボックスシステムメモリ４１上に格納するものとする。なお、その他詳細は、カラオケ要素データテーブル８０等に準ずるものとする。
【００７７】
次に、許諾不可データテーブル一覧１３０に格納する情報について説明する。まず、許諾不可管理欄１３１には、「許諾不可データテーブル一覧」、該カラオケボックスの番号を示す「カラオケボックス番号：１５４−００２２−００１」という情報を、格納する。次に、番号欄１３２１には、上部から下部へ順番に、例えば「１」、「２」、「３」、・・・、等の番号を格納する。次に、新規カラオケ要素データテーブルにおいて許諾不可となった事例に従って、例えば許諾不可１欄１３３０１の年月日時間欄１０１２には、許諾が「不可」となった新規カラオケ要素データテーブルが作成された年月日時間として、例えば「２０１４．０８．０１．１８：５６」、原曲コード欄１３２３には、該新規カラオケ要素データテーブルの原曲コードとして、例えば「００１−１４０１１２３４−００１」、依頼者コード欄１３２４には、新規となるカラオケ要素の構成を依頼した依頼者のコードとして、例えば「１４０１３００１」、不可内容欄１３２５として、新規カラオケ要素データテーブルにおいて不可となった要素として、例えば「ＫＫＥＧ−ＢＲ０１−０００１２／ＫＥＪＰ−ＸＹ０・・・」という情報を、それぞれ格納する。以下、該カラオケボックスにおける、不可となった新規カラオケ要素データテーブルが発生するたびに、許諾不可１欄１３３０１に従って、許諾不可２欄１３３０２、許諾不可３欄１３３０３、・・・に、順次情報を格納する。このように情報を格納する許諾不可データテーブル一覧１３０は、許諾不可管理欄１３１において、該カラオケボックス番号を管理しており、カラオケボックス別に作成することとなる。なお、その他詳細は、カラオケ要素データテーブル８０等に準ずるものとする。また、各情報格納処理は、例えば、カラオケボックスシステム４０のカラオケボックスシステムメモリ４１上に展開されたプログラムに従って、カラオケボックスシステムプロセッサ４２等で処理するものとする。なお、同様な処理を、例えば原曲管理システム２０側で行っても、かまわない。さらに、その結果を、例えばネットワーク１０を介して、カラオケボックスシステム４０へ送信してもかまわない。さらに、例えばカラオケボックスシステム４０で作成した許諾不可データテーブル一覧１３０を、例えば原曲管理システム２０で一括管理してもかまわない。またさらに、各カラオケボックス毎の許諾不可情報を、例えば原曲管理システム２０でまとめて管理してもかまわない。
【００７８】
このように作成した許諾不可データテーブル一覧１３０を、許諾不可とした当事者に対し、該当事者に関する項目を抽出した一覧（図示せず）を作成し、例えばネットワーク１０を介して、例えば原曲著作権管理システム２０１等へ送信する。前記一覧（図示せず）の内容には、許諾不可としているカラオケ要素が、どのような年月日時間に要望があり、またその頻度等に関する情報を含んでいる。さらに、依頼が特定の依頼者に偏っているか、あるいは広範にわたっているか等も知ることができる。あるいは、不可となった新規カラオケ要素の構成に対し、どの金額までなら支払うつもりがあるかを、例えば原曲管理システム２０から別途アンケート等により情報収集し、その結果を、例えば原曲著作権管理システム２０１提供する。
【００７９】
前記において、例えば「これから  うたうぞう」さんの希望に従い、既成のカラオケにない新規カラオケを生み出す方法について説明したが、この新規カラオケも、カラオケ要素データテーブル上において、すでに存在するカラオケを構成する各要素を選択して、今までにない組合せとすることで、新規カラオケとしていたが、以下に、カラオケ要素データテーブル８０に含まれない要素を組み合わせて、新規カラオケとする方法について説明する。まず前記において、例えば「これから  うたうぞう」さんが、カラオケ要素格納データテーブル１００の内容を選択する方法を説明したが、もし、「これから  うたうぞう」さんが、カラオケ要素格納データテーブル１００に表示した、例えば「富士山」や「プロモーションビデオ」による映像ではなく、例えば、山に関する有名な映画の有名な一場面を背景にカラオケを歌いたいと希望した場合、カラオケ要素格納データテーブル１００において、例えば、カラオケ選択詳細欄１０１の映像欄１０１４と、新要素欄１０７とを同時押下すると、例えば小画面として、入力画面（図示せず）を表示し、この画面上の入力部（図示せず）等を操作して、映画の題名等を入力することで、希望する映画と特定する。あるいは、例えばネットワークを利用した既存の検索画面等を表示し、この画面上において、例えば映画配給会社等が提供する該映画に関する、情報を入手する。これら情報をもとに、例えば、カラオケボックスシステム４０からネットワーク１０を介して、例えば関連システム２０４等により、例えばオリジナルデータベース２０３から詳細情報を入手する。この情報をもとに、カラオケに使用することに関し、許諾許可となるかどうか、例えば関連システム２０４に問い合わせる。この問い合わせに対する回答を待ち、この結果を、該新規カラオケ要素データテーブル１２０の許諾欄１２２３に格納する。なお、例えば映画は、カラオケ楽曲に比べ、一般的に長い上映時間となるため、カラオケに使用するのは、該映画の一部分となる。このよな、部分的な使用についても許諾されるか、あるいは映画に出演している特定俳優に関しては、許諾されないとか、実際にカラオケに使用しようとすると、さまざまな制限が発生する。このような制約のなかで許諾される場面のなから、例えば該カラオケ原曲にふさわしい場面を選択する必要がある。このような場合には、例えば、ネットワーク１０を介して、該情報をカラオケ原盤作成システム３０に送信するとともに、該カラオケ原曲に関する情報等も含め、必要となる情報をカラオケ原盤作成システム３０に送信し、この情報をもとに、カラオケ原盤作成システム３０において、もっとも原曲にふさわしい場面を切出し、例えばカラオケ要素格納データテーブル１００の小画面（図示せず）に表示する。この小画面（図示せず）の内容と、例えば料金欄１０５に表示された料金の内容等を勘案して、例えば「これから  うたうぞう」さんが選択決定欄１０４を押下すると、この映画の一場面は、カラオケの背景映像としてカラオケに使用されることとなる。このとき、映像に同期して、例えば床が傾斜、振動する等の情報に従い、例えばカラオケ歌唱するステージに床を傾斜、振動等させる情報、あるいは、気温、湿度、天候���に関する情報を例えば映画内容から収集してもかまわない。また、前記振動等に関する情報がすでに存在する場合には、この情報に従い、もし、このような、例えば振動に関する情報が存在しない場合には、例えば、映像から傾きや振動に関する情報を、例えばカラオケ原盤作成システム３０において抽出し、新規カラオケ要素データテーブル１２０を作成し、この情報によりカラオケボックスの施設（後述）を作動する。あるいは、映画の２次元的情報から、立体的な３次元としての情報が入手可能で、かつ使用に関し許諾された場合には、例えばカラオケ原盤作成システム３０において、３次元画像に関する映像情報を作成し、これをカラオケに供してもかまわない。なお、具体的な表示方法等は後述する。また、前記オリジナルに含まれないその他付加情報は、例えばカラオケ原盤作成システム３０で、プログラム等に従って作成するものとし、著作権等許諾が必要な場合には、原盤等と同様に許諾を受けることとし、許諾の管理に関しては、例えば新規カラオケ要素データテーブル１２０により管理する。例えば３次元画像に関する情報の管理は、映像コード欄１２３１０に格納する映像コードを更新し、また新規カラオケ要素データテーブル１２０に存在しない情報に関しては、新規カラオケ要素データテーブル１２０に新規項目欄を設定（図示せず）し、この新規項目欄に該情報に関する新規コードを格納するものとする。
【００８０】
上記のような、カラオケ要素を活用した付加情報作成の対象は、映像に限らない。例えば、カラオケのもととなる、オリジナル歌手の歌うＣＤ、歌詞、あるいは、広く普及している、オリジナル楽曲をもとにカラオケ用に作成された原盤等、あらゆる要素が対象となる。さらに、オリジナルＣＤは、オリジナル歌手による音の高さ（キー）によって流通しているが、カラオケにおいては、歌い手の状況に応じて、キーの変更が求められる場合がある。このとき、オリジナルＣＤそのものを処理して、キーの変更を行った音盤として提供してもよい。あるいは、カラオケボックスシステム４０の装置によってキーを変更してもかまわない。これら対象も、カラオケ使用の許諾があればカラオケに使用できるが、これら許諾結果は、前記の通り選択内容欄１０３に表示して、その結果を操作者に知らせる。
【００８１】
あるいは、カラオケにおいて、歌う歌詞を、例えばカラオケボックスシステム４０のカラオケボックスシステム出力部４３の、例えばディスプレイ等に、映像とともに表示するのが一般的であるが、例えば、カラオケの歌い手が歌詞の表示を希望しない場合、あるいは、かな、あるいはローマ字による歌詞の表示を希望する場合、日本語と他の言語を併記した歌詞を希望する場合、歌詞の表示は希望するがすでに歌い終えた歌詞に関し、表示色を変える等により知らせる機能を望まない場合等々、歌い手のさまざまな要求を、カラオケ要素格納データテーブル１００や、その小画面（図示せず）により選択するものとする。また、その選択に従い、例えばカラオケ原盤作成システム３０により各情報を作成し、新規情報である場合には、新規カラオケ要素データテーブル１２０を作成し、該情報を格納する。
【００８２】
前記の通り、新規カラオケ要素データテーブル１２０により新規カラオケ条件に対応することにより、さまざまな要求に対応できる。例えばカラオケの採点の基礎となる情報は、例えばオリジナル歌手が歌う音楽がＣＤ等媒体によって一般的に流通している状況のおいては、存在しないが、前記ＣＤがカラオケに使用することが許諾されると、早急の採点情報を作成する必要がある。あるいは、一般的に、カラオケの採点は、音程、リズム等の正確性を採点し、例えば、１番の歌詞と２番の歌詞を間違える等、歌詞の間違いは、採点対象とならない。しかし、歌い手から、歌詞の正確性も含め採点するよう要望があった場合、要望に従って情報を作成する。あるいは、例えばデュデットで歌うカラオケの場合、例えば男性が歌う部分と、女性が歌う部分との、それぞれを別々に採点することを望む、あるいは、別々に採点せず、総合的に採点することを望む等、細かな要望に対応することができる。なお、このような対応は、例えばカラオケ原盤作成システム３０によって行われるが、このようなカラオケ原盤作成システム３０における機能概要を図１４に示す。
【００８３】
以上、新規カラオケを作成する方法に説明したが、図１５に示すカラオケボックス図１５０に従って、具体的なカラオケの楽しむ方について説明する。カラオケボックスは、例えば男性歌い手１５１１と女性歌い手１５１２が、大型ディスプレイ１５３１を背景として、ステージ１５５１上で、カラオケを楽しんでいる。ステージ１５５１には、例えば傾斜、振動等を起こすステージ駆動部１５５１１が設置されており、例えば大型ディスプレイ１５３１に映し出された背景から想像される振動等を発生させる。なお、歌い手の前方にある補助ディスプレイ１５３２には、前記立体的な３次元映像情報に従って、例えば大型ディスプレイ１５３１に映し出した映像と裏表となる映像、例えば大型ディスプレイ１５３１には、富士山の遠景映像に対し、富士山を背にした映像を映し出す。このとき、補助ディスプレイ１５３２に、要求に従って歌詞を表示してもかなわない。また、カラオケに関する音声は、例えばスピーカ１５３３から流し、この状況を、カメラ１５２２によって撮影するが、スピーカに関しては、超指向性機能を有するスピーカ等により、効果的な音響としてもよい。なお、カラオケボックス全体の音声は、例えばカメラ１５２２に付加したマイクにより集音し、歌い手の声等は、歌い手のもつマイク１５２１から集音する。これら情報は、例えばカラオケボックスシステム４０により記録する。また、音楽内容に従って、例えばスポットライト１５３４等により、照明を変化させる。さらに、環境条件を再現するために、空調装置１５５２により、温度設定等を変えてもよい。さらに、天井に設置した天井装置１５５３から、例えば雪に見立てた紙ふぶき、あるいは本物の雪を降らす。さらに、オゾン、香り、湿度等を発生させてもかまわない。また、ステージ１５５１上の二人１５１１、１５１２が、例えばデュエット曲を歌っていて、前記男女の歌を別々に採点するよう採点基準が設定されている場合には、各マイク１５２１で集音した、各歌い手の声を個別に採点する。以上、カラオケボックス内に各装置は、カラオケボックス制御装置１５４１により制御され、各装置に対しては、例えば電波により、各種情報を送受信する。ただし、この情報の伝送に関しては、電波に限らず、有線、光等、どのような伝送手段であってもかまわない。また、図示していないが、現在カラオケを歌っている男女の他にカラオケを楽しんでいる人物が居る場合は、例えば、カラオケボックスの遠隔操作装置１５４３、または、スマートフォンと呼称される移動通信部２０９に相当する携帯端末１５４２等から、前記に示す次のカラオケについて、例えば、カラオケボックス制御装置１５４１を介してカラオケボックスシステムシステム４０と情報の送受信を行い、例えば遠隔操作装置１５４３、あるいは携帯端末１５４２の画面に、カラオケ要素設定画面（図示せず）を表示し、操作に従ってカラオケに関する、例えば、前記キー変更、振動中止等、カラオケに関する各種条件等を選択するものとする。なお、このカラオケ選択により、例えば車に関するカラオケにおいて、ハンドル等を装着して、運転台１５５４を使用してカラオケ歌唱する場合には、運転台１５５４の操作部と計器類等とカラオケボックス制御装置１５４１とを接続して、例えば運転台１５５４のフロント部分に映像を表示し、さらに、例えばハンドル操作の上手下手を、歌詞の採点基準に従って採点してもかまわない。また、例えば、カラオケ内容が散歩を楽しむ状況にふさわしい場合には、例えばルームランナー１５５５を使用して歌い手が歌いながら散歩、あるいはランニングする状況を再現するが、詳細は運転台１５５４と同様とする。
【００８４】
以上、カラオケボックスにおけるカラオケの楽しみ方について説明したが、上記説明の他に、例えば、カラオケボックスの選曲状況を、例えばカラオケボックスシステムシステム４０で分析し、カラオケボックス参加者に推薦する曲、映像等があると判断した場合には、カラオケの合間に流す。なおカラオケで流す許諾が不明な場合には、例えばネットワーク１０を介して、原曲管理システム２０経由で、関連システム２０４、原盤権管理システム２０２等に問い合わせる。許諾となった場合には、原曲著作権管理システム２０１、原盤権管理システム２０２、オリジナルデータベース２０３、関連システム２０４等と連携の上、著作権等の料金等の調整を行い、原盤を入手する。なお、このような一連の情報は、前記同様、新規カラオケ要素データテーブル１２０に格納する。また、カラオケの各要素の他に、例えばコマーシャルメッセージ（以下、ＣＭと略す。）等に関しても、例えば関連システム２０４等を介して入手の上、カラオケボックスに流しもかまわな。なお、この場合も情報管理は、前記新規カラオケ要素データテーブル１２０に、前記管理方法に準じて行うもとし、例えば原盤に関するCMの場合、音盤コードの枝番として管理するものとする。さらに、カラオケの原盤としてＣＤ等、オリジナル楽曲が使用できる場合、さらに、オリジナルの歌手による歌を含む原盤を、カラオケボックス内で流すことに関し許諾されているなら、例えばカラオケの歌い手の指示に従い、カラオケと、オリジナルの歌手の歌声を切り換えて、あるいは交互にカラオケボックス内で流してもかまわない。この場合、カラオケの途中でオリジナルの歌手の歌声に切替えても、曲の最初からオリジナル歌手の歌声だけを流してもかまわない。あるいは、カラオケボックスにおいて飲食物の注文があった場合、この内容に関連する原盤、ＣＭ等をカラオケボックスに流してもかまわない。さらに、オリジナルＣＤをカラオケに使用することに関する許諾があり、かつ、従来のＭＩＤＩ（ミディ、登録商標）等によるカラオケ原盤が存在しない場合には、カラオケとして供するよう、例えばカラオケ作成システム３０において自動作成してもかまわない。なお、この場合においても、前記新規カラオケ要素データテーブル１２０により管理する。さらに、カラオケを歌っている音声を、例えばカラオケボックス制御装置１５４１により処理を行い、今歌っているメロディに対し、ハーモニーとなる音声分を作成して、同時に流してもかまわない。
【００８５】
さらに、図１５に示すメガネ装着入出力部１５４４に、例えばカラオケに関する映像を映し出すとともに、歌い手が方向を変えると、メガネ装着入出力部１５４４に具備した位置検部（図示せず）により、歌い手の動きを検知し、この情報に従って、立体的な３次元映像をメガネ装着入出力部１５４４の映像出力部へ映し出してもかまわない。また、例えば採点結果等、歌い手にのみ知らせる情報がある場合、前記メガネ装着入出力部１５４４に表示してもかまわない。あるいは、前記カラオケ履歴データテーブル１１０の自分自身の履歴を表示し、カラオケ選曲の資料としてもよい。
【００８６】
以上、カラオケボックスについて説明したが、本願による一連のシステムの存在を前提として、カラオケを楽しむことは、カラオケボックスに備わった機能を、例えばスマートフォンと呼称される移動通信部２０９、すなわち携帯端末１５４２に代替させ、前記ディスプレイ、マイク等により、カラオケを楽しむことができる。さらに、カラオケボックスの内部においても、前記スマートフォン等の機能と、カラオケボックスに備わった各設備機能とを、例えばカラオケボックス制御装置１５４１で制御することで、例えばスマートフォンのマイクをマイマイクとして使用する、あるはスマートフォンの画面に自分だけの映像、歌詞等を表示し履歴を記録する、スマートフォンにより自分の映像、音声を記録する、等々の使用が可能となる。さらに、カラオケボックスの内外を問わず、複数のスマートフォンを連携し、例えばグループ内における、例えば採点結果、いままでにグループで歌ったカラオケ曲の一覧表示等を、場所の制限を受けることなく行うことによりカラオケを楽しむことができえる。またさらに、記録した過去のカラオケに関する画像・音声情報等を再生することも可能となる。
【００８７】
次に、前記の通りカラオケを楽しむに当たり、各権利関係の処理と、著作権料等の支払い処理について説明する。まず、前記の通り、すでにカラオケとして許諾されている場合、該カラオケ要素データテーブル８０の許諾欄８２３の必要とされる欄に、ずべて「可」という情報が格納され、料金欄８３１４には、カラオケ使用に関する料金が明示されていることにより、権利関係は解決済みと理解することができる。このように、カラオケ要素データテーブル８０の許諾欄８２３に「可」という情報を格納するに当たり、判断の基礎となる、原盤コード管理データテーブル１６０について、図１６に従って、以下に説明する。
【００８８】
原盤コード管理データテーブル１６０は、対象となる原盤コード等を格納する原盤コード欄１６１、原盤コードの管理項目を格納する原盤コード管理欄１６２、原盤コードの各種情報に関し、原盤コードに関する国籍を示す国籍欄１６３０１、登録者を示す登録者欄１６３０２、録音コードを示す録音コード欄１６３０３、・・・等を備え、さらに、原盤コード管理欄１６２は、項目欄１６２１、内容欄１６２２、関連コード欄１６２３、料金欄１６２４等を備えている。なお、原盤コード管理データテーブル１６０は、例えば原曲管理システム出力部２３のディスプレイに表示する原盤コード管理データテーブル設定画面（図示せず）に従って、例えば原曲管理システム２０の原曲管理システム入力部２４のキーボードから操作者により修正を含む入力が行われ、原曲管理システムＤＢ２１に格納されたプログラムに従い、原曲管理システムサーバ２２により、原曲管理システムＤＢ２１上に格納するものとする。また、原盤コード管理データテーブル設定画面（図示せず）は、原盤コード管理データテーブル１６０と同一形式を有するものとする。なお、原盤コード管理データテーブル１６０は、カラオケ原盤作成システム３０、カラオケボックスシステム４０側で入力、メモリ格納してもかまわない。また、原曲管理システム２０側で入力、格納した情報を、例えばネットワーク１０を介して、カラオケ原盤作成システム３０、カラオケボックスシステム４０側に送信してもかまわないし、カラオケ原盤作成システム３０、カラオケボックスシステム４０側で入力、格納した情報を、原曲管理システム２０側に送信してもかまわない。さらにまた、関連システム２０４において原盤コード管理データテーブル１６０を入力、格納し、原曲管理システム２０、カラオケ原盤作成システム３０、カラオケボックスシステム４０側に送信してもかまわない。
【００８９】
次に、図１６に従って、原盤コード管理データテーブル１６０の各欄へ、情報を格納する手順について説明する。まず、対象となる原盤コードに関する情報が新規登録かどうか判断し、新規顧客登録の場合には、新規に原盤コード管理データテーブル１６０を作成することとして、まず、原盤コード欄１６１には、原盤コードとして、例えば「ＧＢＪＰ−ＡＡ０−０１−２３４５６」、原盤コード管理データテーブルの作成年月日として、例えば作成した日付が２０１４年１１月３０日であれば、例えば「２０１４．１１．３０」という情報を格納する。なお、原盤コードの「ＧＢＪＰ−ＡＡ０−０１−２３４５６」は、カラオケ要素データテーブル８０の原盤コード欄８３０８と関連しており、両者の原盤コードが同一であれば、同一の原盤であることを示している。以下、項目欄１６２１の内容に従って、国籍欄１６３０１の内容欄１６２２には、例えば原盤の所属する国名である「日本」、登録者欄１６３０２には、「ＡＡ社」、・・・等、順次原盤の内容に関する情報を格納するものとする。最後に、許諾欄８２３には、各項目内容に関する許諾情報（詳細は後述）を格納する。次に、関連コード欄１６２３には、各項目に関連するコードを格納する。例えば、作詞者連絡先欄１６３０５の関連コード欄１６２３に格納した「ＫＫＪＰ−ＡＢ０−・・・」という情報は、作詞者に関する関連コードが存在し、例えば著作権の許諾を得る必要がある等、カラオケとして使用するために、対応が必要であることを示している。また、関連コード欄１６２３に「‐（ハイフン）」が格納してあれば、さらに対応する必要のないことを示す。さらに、作詞者連絡先欄１６３０５の関連コード欄１６２３に格納した「ＫＫＪＰ−ＡＢ０−・・・」に関し、原盤コード管理データテーブル１６０と同様な形式に従った、作詞者コード管理データデーブル（図示せず）によって管理することとし、この作詞者コード管理データデーブル（図示せず）の関連コード欄にさらにコードが格納されている場合には、このコードで指定される項目に関し、著作権として対応する必要のあることを示すものとする。さらに、歌詞コード管理データテーブル以外にも、例えば映像コード等に関しても管理データテーブル（図示せず）を作成し、管理するものとする。最終的に、次々に関連する各データテーブルの関連コード欄に何も格納されない状況となると、すべての著作権に関する項目について、対応が完了したことを示す。またさらに、料金欄１６２４には、項目欄１６２１に示す項目において発生する著作権関連費用を格納する。例えば、登録者欄１６３０２の料金欄１６２４の「８０円」という情報は、例えば原盤コード「ＧＢＪＰ−ＡＡ０−０１−２３４５６」により指定された原盤に関する料金が８０円であることを示し、作詞者連絡先欄１６３０５の料金欄１６２４の「２０円」という情報は、作詞者に関する料金が２０円であることを示す。なお、原盤コード管理データテーブル１６０の登録者欄１６３０２の総額は、例えばカラオケ要素データテーブル８０の料金欄８３１４と一致しているものとする。さらに、例えば作詞者コード管理データデーブル（図示せず）の各項目（図示せず）で発生する著作権関連費用は２０円であり、このように、それぞれのデータテーブルで発生する著作権関連費用の総額を、上位のデータテーブルの関連項目の料金欄に格納することで、漏れなく著作権関連費用を把握する。なお、著作権関連費用は、最終的に著作権者へ支払われるが、前記料金に関連する情報から、各著作権者への著作権使用料を算出するためのデータテーブル（図示せず）を作成し、また前記データテーブルに従って、各著作権者、代行業者等へ、例えば関連システム２０４としての金融機関等を通じ、入金処理を行ってもかまわない。また、前記諸作権関連費用を含めたカラオケ代の請求に関し、前記料金欄の金額等を加味し、例えばカラオケボックスシステム４０において、一括請求の上、精算処理してもかまわない。あるいは、例えば関連システム２０４としての金融機関等を通じ、例えば、磁気、超音波、電波、その他情報通信手段を有するカード等の媒体を活用したクレジット支払い処理を行ってもかまわない。
【００９０】
次に、著作権に関する許諾と著作権関連費用の把握方法について説明する。例えば、「これから  うたうぞう」さんが、いままではカラオケとして使用されたことのないＣＤオリジナルを、前記カラオケ要素設定画面（図示せず）からカラオケの原盤として指定した場合、例えばカラオケボックスシステム４０は、例えばネットワーク１０を介して、原曲管理システム２０に、該ＣＤがカラオケとして使用許諾されているか問い合わせ、次に原曲管理システム２０は、例えば原盤権管理システム２０２に問い合わせる。原盤権管理システム２０２では、該ＣＤの著作権を管理する、例えば「ＡＡレコード社」に問い合わせ、「ＡＡレコード社」では、前記問い合わせに対し、カラオケとしての使用を許諾する場合は、その旨原盤権管理システム２０２に許諾情報を送信し、さらに原曲管理システム２０に許諾情報を送信する。原曲管理システム２０においては、前記の通り、いままでカラオケとして使用された実績がないことから、該原盤コードに関する新規カラオケ要素データテーブル１２０が新規作成されており、該新規カラオケ要素データテーブル１２０の原盤コード欄１２３０８の許諾欄１２２３に、例えば「可」という情報を格納する。なお、前記オリジナルＣＤの著作権の許諾に関し、例えば「ＡＡレコード社」が一括管理している場合には、例えば歌詞コード欄１２３０９等、関連する許諾欄にも「可」という情報を格納するものとする。また、例えば「ＡＡレコード社」からカラオケとしての許諾が得られなかった場合は、前記の通り、許諾不可データテーブル一覧１３０に情報を格納する。
【００９１】
さらに、前記においてカラオケ使用が不可となった場合、例えば原曲管理システム２０において、さらに不可となった理由について、例えば、法律関連の関連システム２０４、原盤権管理システム２０２等に問い合わせ、不可理由情報を、別途一覧（図示せず）に格納する。また、たとえ許諾されたとしても、料金等の許諾条件が、一定以上であった場合には、許諾を受けたとしても、前記許諾不可のときと同様な処理を行い、「可」という情報を格納しない処理を行ってもかまわない。
【００９２】
以上、音楽及び映像等の原盤による原曲資料から作成されたカラオケ原盤により、カラオケ歌唱することが可能となる仕組みを説明した。なお、本発明は上述した実施形態に限定されるものではなく、本発明の主旨を逸脱しない範囲内で種々変更して実施することが可能である。これらはすべて、本技術思想の一部である。
【産業上の利用可能性】
【００９３】
本発明に係る音楽及び映像の原盤を活用したカラオケシステムは、カラオケを利用するユーザーに品質の高い音楽及び映像を提供するだけでなく、原盤保有会社、著作権者、カラオケ経営者、カラオケ装置製造及び供給事業者にも大きな変革をもたらし、新たな市場を展開させることができる。本発明の効果は様々な関連産業に大きな影響を及ぼすため、産業的にも社会的にも利用可能性は大きい。
【符号の説明】
【００９４】
１０  ・・・ネットワーク
１１  ・・・原盤保有会社
１２  ・・・カラオケ音楽及び映像制作配信会社
１３  ・・・ユーザー
１４  ・・・日本著作権協会
１５  ・・・カラオケプラットホーム
１６  ・・・カラオケ用音楽及び映像制作配信会社における現状とそのデメリット
１７  ・・・メリット
１８  ・・・ハード内容
２０  ・・・原曲管理システム
３０  ・・・カラオケ原盤作成システム
４０  ・・・カラオケボックスシステム
８０  ・・・カラオケ要素データテーブル
９０  ・・・主要コード一覧
１００  ・・・カラオケ要素格納データテーブル
１１０  ・・・カラオケ履歴データテーブル
１２０  ・・・新規カラオケ要素データテーブル
１３０  ・・・許諾不可データテーブル一覧
１４０  ・・・カラオケ原盤作成システムの機能概要
１５０  ・・・カラオケボックス図
１６０  ・・・原盤コード管理データテーブル
１９１  ・・・ユーザー提供
１９２  ・・・課金スキーム案
２０１  ・・・原曲著作権管理システム
２０２  ・・・原曲著作権管理システム
２０３  ・・・オリジナルデータベース
２０４  ・・・関連システム
２０９  ・・・移動通信部
【図１】
2015143856.tif 000003
【図２】
2015143856.tif 000004
【図３】
2015143856.tif 000005
【図４】
2015143856.tif 000006
【図５】
2015143856.tif 000007
【図６】
2015143856.tif 000008
【図７】
2015143856.tif 000009
【図８】
2015143856.tif 000010
【図９】
2015143856.tif 000011
【図１０】
2015143856.tif 000012
【図１１】
2015143856.tif 000013
【図１２】
2015143856.tif 000014
【図１３】
2015143856.tif 000015
【図１４】
2015143856.tif 000016
【図１５】
2015143856.tif 000017
【図１６】
2015143856.tif 000018